(57)【要約】直交周波数分割多重化（ＯＦＤＭ）フレームまたは直交周波数分割多元接続（ＯＦＤＭＡ）フレームの媒体アクセス制御（ＭＡＣ）プロトコル・データ・ユニット（ＰＤＵ）のうちの少なくとも一部をバイパスするために、ＯＦＤＭフレームまたはＯＦＤＭＡフレームにおけるマルチキャスト／ブロードキャスト接続識別子（ＣＩＤ）スケジューリング・メッセージを利用する方法およびシステム提供される。（ＩＥＥＥ  ８０２．１６規格ファミリのうちの１または複数の規格にしたがう）ＯＦＤＭ／ＯＦＤＭＡフレームのＭＡＣ  ＰＤＵ解析のうちの少なくとも一部をバイパスすることによって、特定のユーザ端末は、ＣＩＤフィルタ処理において多くのオーバヘッドを費やす必要はなくなり、その特定のユーザ端末のＭＡＣによって、どのＭＡＣ  ＰＤＵが処理されることが意図されているのかを判定する。さらに、ある実施形態の場合、ユーザ端末は、節電のために、端末によるＯＦＤＭ／ＯＦＤＭＡフレームのバイパス期間中、関連する回路の電源を落とすことができる。
2011525779.tif 000002
【特許請求の範囲】
【請求項１】
直交周波数分割多重化（ＯＦＤＭ）フレームまたは直交周波数分割多元接続（ＯＦＤＭＡ）フレームで送信されたマルチキャスト・データまたはブロードキャスト・データを処理する方法であって、
ダウンリンクＭＡＰ（ＤＬ−ＭＡＰ）を復号することと、
前記ＤＬ−ＭＡＰに含まれる接続識別子（ＣＩＤ）スケジューリング情報を抽出することであって、ここで、前記スケジューリング情報は、１または複数のＯＦＤＭフレームまたはＯＦＤＭＡフレーム内で、１または複数のマルチキャストＣＩＤまたはブロードキャストＣＩＤに関連付けられたデータ・バーストの位置を識別する、ことと、
前記１または複数のＯＦＤＭフレームまたはＯＦＤＭＡフレームを解析する場合、前記スケジューリング情報に基づいて、前記１または複数のＯＦＤＭフレームまたはＯＦＤＭＡフレームのうちの少なくとも一部をバイパスすることと
を備える方法。
【請求項２】
前記スケジューリング情報は、媒体アクセス制御（ＭＡＣ）レイヤ・メッセージに含まれる請求項１に記載の方法。
【請求項３】
前記ＭＡＣレイヤ・メッセージは、タイミング情報、１または複数のＣＩＤ、および変調情報を備える請求項２に記載の方法。
【請求項４】
前記バイパスする期間中、回路の電源を落とすことをさらに備える請求項１に記載の方法。
【請求項５】
前記回路の電源を落とす前に、前記バイパスする期間が、しきい値よりも長いかを判定することをさらに備える請求項４に記載の方法。
【請求項６】
直交周波数分割多重化（ＯＦＤＭ）フレームまたは直交周波数分割多元接続（ＯＦＤＭＡ）フレームで送信されたマルチキャスト・データまたはブロードキャスト・データを処理する受信機であって、
ダウンリンクＭＡＰ（ＤＬ−ＭＡＰ）を復号するように構成された復号ロジックと、
前記ＤＬ−ＭＡＰに含まれる接続識別子（ＣＩＤ）スケジューリング情報を抽出するように構成された抽出ロジックであって、ここで、前記スケジューリング情報は、１または複数のＯＦＤＭフレームまたはＯＦＤＭＡフレーム内で、１または複数のマルチキャストＣＩＤまたはブロードキャストＣＩＤに関連付けられたデータ・バーストの位置を識別する、抽出ロジックと、
前記１または複数のＯＦＤＭフレームまたはＯＦＤＭＡフレームを解析する場合、前記スケジューリング情報に基づいて、前記１または複数のＯＦＤＭフレームまたはＯＦＤＭＡフレームのうちの少なくとも一部をバイパスするように構成されたバイパス・ロジックと
を備える受信機。
【請求項７】
前記スケジューリング情報は、媒体アクセス制御（ＭＡＣ）レイヤ・メッセージに含まれる請求項６に記載の受信機。
【請求項８】
前記ＭＡＣレイヤ・メッセージは、タイミング情報、１または複数のＣＩＤ、および変調情報を備える請求項７に記載の受信機。
【請求項９】
前記バイパスする期間中、回路の電源を落とすように構成された電源ロジックをさらに備える請求項６に記載の受信機。
【請求項１０】
前記回路の電源を落とす前に、前記バイパスする期間が、しきい値よりも長いかを判定するように構成された比較ロジックをさらに備える請求項９に記載の受信機。
【請求項１１】
直交周波数分割多重化（ＯＦＤＭ）フレームまたは直交周波数分割多元接続（ＯＦＤＭＡ）フレームで送信されたマルチキャスト・データまたはブロードキャスト・データを処理する装置であって、
ダウンリンクＭＡＰ（ＤＬ−ＭＡＰ）を復号する手段と、
前記ＤＬ−ＭＡＰに含まれる接続識別子（ＣＩＤ）スケジューリング情報を抽出する手段であって、ここで、前記スケジューリング情報は、１または複数のＯＦＤＭフレームまたはＯＦＤＭＡフレーム内で、１または複数のマルチキャストＣＩＤまたはブロードキャストＣＩＤに関連付けられたデータ・バーストの位置を識別する、手段と、
前記１または複数のＯＦＤＭフレームまたはＯＦＤＭＡフレームを解析する場合、前記スケジューリング情報に基づいて、前記１または複数のＯＦＤＭフレームまたはＯＦＤＭＡフレームのうちの少なくとも一部をバイパスする手段と
を備える装置。
【請求項１２】
前記スケジューリング情報は、媒体アクセス制御（ＭＡＣ）レイヤ・メッセージに含まれる請求項１１に記載の装置。
【請求項１３】
前記ＭＡＣレイヤ・メッセージは、タイミング情報、１または複数のＣＩＤ、および変調情報を備える請求項１２に記載の装置。
【請求項１４】
前記バイパスする期間中、回路の電源を落とす手段をさらに備える請求項１１に記載の装置。
【請求項１５】
前記回路の電源を落とす前に、前記バイパスする期間が、しきい値よりも長いかを判定する手段をさらに備える請求項１４に記載の装置。
【請求項１６】
マルチキャスト・データまたはブロードキャスト・データを処理することが可能なモバイル・デバイスであって、
直交周波数分割多重化（ＯＦＤＭ）フレームまたは直交周波数分割多元接続（ＯＦＤＭＡ）フレームで送信されたマルチキャスト・データまたはブロードキャスト・データに基づいて信号を受信する受信機フロント・エンドと、
ダウンリンクＭＡＰ（ＤＬ−ＭＡＰ）を復号するように構成された復号ロジックと、
前記ＤＬ−ＭＡＰに含まれる接続識別子（ＣＩＤ）スケジューリング情報を抽出するように構成された抽出ロジックであって、ここで、前記スケジューリング情報は、１または複数のＯＦＤＭフレームまたはＯＦＤＭＡフレーム内で、１または複数のマルチキャストＣＩＤまたはブロードキャストＣＩＤに関連付けられたデータ・バーストの位置を識別する、抽出ロジックと、
前記１または複数のＯＦＤＭフレームまたはＯＦＤＭＡフレームを解析する場合、前記スケジューリング情報に基づいて、前記１または複数のＯＦＤＭフレームまたはＯＦＤＭＡフレームのうちの少なくとも一部をバイパスするように構成されたバイパス・ロジックと
を備えるモバイル・デバイス。
【請求項１７】
前記スケジューリング情報は、媒体アクセス制御（ＭＡＣ）レイヤ・メッセージに含まれる請求項１６に記載のモバイル・デバイス。
【請求項１８】
前記ＭＡＣレイヤ・メッセージは、タイミング情報、１または複数のＣＩＤ、および変調情報を備える請求項１７に記載のモバイル・デバイス。
【請求項１９】
前記バイパスする期間中、回路の電源を落とすように構成された電源ロジックをさらに備える請求項１６に記載のモバイル・デバイス。
【請求項２０】
前記回路の電源を落とす前に、前記バイパスする期間が、しきい値よりも長いかを判定するように構成された比較ロジックをさらに備える請求項１９に記載のモバイル・デバイス。
【請求項２１】
直交周波数分割多重化（ＯＦＤＭ）フレームまたは直交周波数分割多元接続（ＯＦＤＭＡ）フレームで送信されたマルチキャスト・データまたはブロードキャスト・データを処理するための、格納された命令群のセットを有するコンピュータ読取可能媒体を備えたコンピュータ・プログラム製品であって、
前記命令群のセットは、１または複数の処理デバイスによって実行可能であって、
ダウンリンクＭＡＰ（ＤＬ−ＭＡＰ）を復号するための命令群と、
前記ＤＬ−ＭＡＰに含まれるＣＩＤスケジューリング情報を抽出するための命令群であって、ここで、前記スケジューリング情報は、１または複数のＯＦＤＭフレームまたはＯＦＤＭＡフレーム内で、１または複数のマルチキャストＣＩＤまたはブロードキャストＣＩＤに関連付けられたデータ・バーストの位置を識別する、命令群と、
前記１または複数のＯＦＤＭフレームまたはＯＦＤＭＡフレームを解析する場合、前記スケジューリング情報に基づいて、前記１または複数のＯＦＤＭフレームまたはＯＦＤＭＡフレームのうちの少なくとも一部をバイパスするための命令群と
を備えるコンピュータ・プログラム製品。
【請求項２２】
前記スケジューリング情報は、媒体アクセス制御（ＭＡＣ）レイヤ・メッセージに含まれるクレーム２１のコンピュータ・プログラム製品。
【請求項２３】
前記ＭＡＣレイヤ・メッセージは、タイミング情報、１または複数のＣＩＤ、および変調情報を備えるクレーム２２のコンピュータ・プログラム製品。
【請求項２４】
前記命令群のセットは、前記バイパスする期間中、回路の電源を落とすための命令群をさらに備えるクレーム２１のコンピュータ・プログラム製品。
【請求項２５】
前記命令群のセットは、前記回路の電源を落とす前に、前記バイパスする期間が、しきい値よりも長いかを判定するための命令群をさらに備えるクレーム２４のコンピュータ・プログラム製品。
【請求項２６】
直交周波数分割多重化（ＯＦＤＭ）フレームまたは直交周波数分割多元接続（ＯＦＤＭＡ）フレームでマルチキャスト・データまたはブロードキャスト・データを送信する方法であって、
１または複数のマルチキャスト接続識別子（ＣＩＤ）またはブロードキャストＣＩＤに関連付けられ、１または複数のＯＦＤＭフレームまたはＯＦＤＭＡフレームで送信されるべきデータ・バーストの位置を識別するスケジューリング情報を取得することと、
前記１または複数のＯＦＤＭフレームまたはＯＦＤＭＡフレームのＤＬ−ＭＡＰの一部で、前記スケジューリング情報を送信することと
を備える方法。
【請求項２７】
前記スケジューリング情報を送信することは、前記ＤＬ−ＭＡＰに含まれた媒体アクセス制御（ＭＡＣ）管理メッセージで前記スケジューリング情報を送信することを備える請求項２６に記載の方法。
【請求項２８】
前記スケジューリング情報は、タイミング情報、前記１または複数のＣＩＤ、および変調情報を備える請求項２６に記載の方法。
【請求項２９】
直交周波数分割多重化（ＯＦＤＭ）フレームまたは直交周波数分割多元接続（ＯＦＤＭＡ）フレームでマルチキャスト・データまたはブロードキャスト・データを送信する送信機であって、
１または複数のマルチキャスト接続識別子（ＣＩＤ）またはブロードキャストＣＩＤに関連付けられ、１または複数のＯＦＤＭフレームまたはＯＦＤＭＡフレームで送信されるべきデータ・バーストの位置を識別するスケジューリング情報を取得するように構成されたスケジューリング・ロジックと、
前記１または複数のＯＦＤＭフレームまたはＯＦＤＭＡフレームのＤＬ−ＭＡＰの一部で、前記スケジューリング情報を送信するように構成された送信ロジックと
を備える送信機。
【請求項３０】
前記送信ロジックは、前記ＤＬ−ＭＡＰに含まれた媒体アクセス制御（ＭＡＣ）管理メッセージで前記スケジューリング情報を送信するように構成された請求項２９に記載の送信機。
【請求項３１】
前記スケジューリング情報は、タイミング情報、前記１または複数のＣＩＤ、および変調情報を備える請求項２９に記載の送信機。
【請求項３２】
直交周波数分割多重化（ＯＦＤＭ）フレームまたは直交周波数分割多元接続（ＯＦＤＭＡ）フレームでマルチキャスト・データまたはブロードキャスト・データを送信する装置であって、
１または複数のマルチキャスト接続識別子（ＣＩＤ）またはブロードキャストＣＩＤに関連付けられ、１または複数のＯＦＤＭフレームまたはＯＦＤＭＡフレームで送信されるべきデータ・バーストの位置を識別するスケジューリング情報を取得する手段と、
前記１または複数のＯＦＤＭフレームまたはＯＦＤＭＡフレームのＤＬ−ＭＡＰの一部で、前記スケジューリング情報を送信する手段と
を備える装置。
【請求項３３】
前記スケジューリング情報を送信する手段は、前記ＤＬ−ＭＡＰに含まれた媒体アクセス制御（ＭＡＣ）管理メッセージで前記スケジューリング情報を送信する手段を備える請求項３２に記載の装置。
【請求項３４】
前記スケジューリング情報は、タイミング情報、前記１または複数のＣＩＤ、および変調情報を備える請求項３２に記載の装置。
【請求項３５】
マルチキャスト・データまたはブロードキャスト・データを送信することが可能なモバイル・デバイスであって、
１または複数のマルチキャスト接続識別子（ＣＩＤ）またはブロードキャストＣＩＤに関連付けられ、１または複数の直交周波数分割多重化（ＯＦＤＭ）フレームまたは直交周波数分割多元接続（ＯＦＤＭＡ）フレームで送信されるべきデータ・バーストの位置を識別するスケジューリング情報を取得するように構成されたロジックと、
前記１または複数のＯＦＤＭフレームまたはＯＦＤＭＡフレームのＤＬ−ＭＡＰの一部で、前記スケジューリング情報を送信する送信機フロント・エンドと
を備えるモバイル・デバイス。
【請求項３６】
前記送信機フロント・エンドは、前記ＤＬ−ＭＡＰに含まれた媒体アクセス制御（ＭＡＣ）管理メッセージで前記スケジューリング情報を送信するように構成された請求項３５に記載のモバイル・デバイス。
【請求項３７】
前記スケジューリング情報は、タイミング情報、前記１または複数のＣＩＤ、および変調情報を備える請求項３５に記載のモバイル・デバイス。
【請求項３８】
直交周波数分割多重化（ＯＦＤＭ）フレームまたは直交周波数分割多元接続（ＯＦＤＭＡ）フレームでマルチキャスト・データまたはブロードキャスト・データを送信するための、格納された命令群のセットを有するコンピュータ読取可能媒体を備えたコンピュータ・プログラム製品であって、
前記命令群のセットは、１または複数の処理デバイスによって実行可能であって、
１または複数のマルチキャスト接続識別子（ＣＩＤ）またはブロードキャストＣＩＤに関連付けられ、１または複数のＯＦＤＭフレームまたはＯＦＤＭＡフレームで送信されるべきデータ・バーストの位置を識別するスケジューリング情報を取得するための命令群と、
前記１または複数のＯＦＤＭフレームまたはＯＦＤＭＡフレームのＤＬ−ＭＡＰの一部で、前記スケジューリング情報を送信するための命令群と
を備えるコンピュータ・プログラム製品。
【請求項３９】
前記スケジューリング情報を送信するための命令群は、前記ＤＬ−ＭＡＰに含まれた媒体アクセス制御（ＭＡＣ）管理メッセージで前記スケジューリング情報を送信するための命令群を備える請求項３８に記載のコンピュータ・プログラム製品。
【請求項４０】
前記スケジューリング情報は、タイミング情報、前記１または複数のＣＩＤ、および変調情報を備える請求項３８に記載のコンピュータ・プログラム製品。
【発明の詳細な説明】
【技術分野】
【０００１】
本開示のある実施形態は、一般に、無線通信に関し、さらに詳しくは、直交周波数分割多重化（ＯＦＤＭ）フレームまたは直交周波数分割多元接続（ＯＦＤＭＡ）フレームにおいてマルチキャスト／ブロードキャスト接続識別子（ＣＩＤ）スケジューリング情報を提供することに関する。
【背景技術】
【０００２】
ＩＥＥＥ  ８０２．１６の下のＯＦＤＭ無線通信システムおよびＯＦＤＭＡ無線通信システムは、複数のサブキャリアの周波数の直交性に基づいてシステム内のサービスについて登録された無線デバイス（すなわち、移動局）と通信するために基地局のネットワークを使用し、マルチパス・フェージングおよび干渉に対する抵抗など、広帯域無線通信に関する複数の技術的利点を達成するために実施され得る。各基地局（ＢＳ）は、移動局との間でデータを伝送するラジオ周波数（ＲＦ）信号を送信し、受信する。基地局からのそのようなＲＦ信号は、さまざまな通信管理機能のために、データ・ロード（音声およびその他のデータ）に加えて、オーバヘッド・ロードを含む。各移動局は、データを処理する前に、各受信信号のオーバヘッド・ロード内の情報を処理する。
【０００３】
ＩＥＥＥ  ８０２．１６ｘ規格は、音声、データ、およびビデオのような広帯域サービスの配信のために開発された。この規格の媒体アクセス制御（ＭＡＣ）レイヤは、ストリーミング・ビデオと、レイテンシに敏感な音声トラフィックとを、同じチャネルで同時にサポートしながら、高いピーク・レートが要求されたバースト状のデータ・トラフィックをサポートしうる。このトラフィックのうちのいくつかは、複数の移動局へ配信することが意図されたブロードキャスト・データおよび／またはマルチキャスト・データを含みうる。ＭＡＣスケジューラによって、マルチキャスト／ブロードキャスト接続へ、あるいは、１つの移動局へ割り当てられたリソースは、単一の時間スロットからＯＦＤＭ／ＯＦＤＭＡフレーム全体で変動しうるので、任意の時間において、スループットのきわめて広いダイナミック・レンジを、特定の移動局へ、あるいは、複数の移動局へと提供する。さらに、各フレームの先頭において、リソース割当情報が、ＭＡＰメッセージで伝送されるので、スケジューラは、バースト状のトラフィック特性に適応するために、フレーム毎ベースでリソース割当を効果的に変更しうる。
【発明の概要】
【０００４】
本開示のある実施形態は、一般に、直交周波数分割多重化（ＯＦＤＭ）フレームまたは直交周波数分割多元接続（ＯＦＤＭＡ）フレームの、媒体アクセス制御（ＭＡＣ）プロトコル・データ・ユニット（ＰＤＵ）解析のうちの少なくとも一部をバイパスするために、ＯＦＤＭまたはＯＦＤＭＡフレームに、マルチキャスト／ブロードキャスト接続識別子（ＣＩＤ）スケジューリング・メッセージを提供することに関連する。ＯＦＤＭ／ＯＦＤＭＡフレームのＭＡＣ  ＰＤＵ解析のうちの少なくとも一部をバイパスすることによって、特定のユーザ端末は、ＣＩＤフィルタ処理において、多くのオーバヘッドを費やす必要がなくなり、その特定のユーザ端末のＭＡＣによって、どのＭＡＣ  ＰＤＵが処理されることが意図されているのかが判定される。さらに、いくつかの実施形態の場合、ユーザ端末は、節電のために、ユーザ端末によるＯＦＤＭ／ＯＦＤＭＡフレームのバイパス期間中、関連する回路の電源を落とすことができる。
【０００５】
本開示のある実施形態は、ＯＦＤＭフレームまたはＯＦＤＭＡフレームで送信されたマルチキャスト・データまたはブロードキャスト・データを処理するための方法を提供する。この方法は一般に、ダウンリンクＭＡＰ（ＤＬ−ＭＡＰ）を復号することと、ＤＬ−ＭＡＰに含まれるＣＩＤスケジューリング情報を抽出することであって、ここで、このスケジューリング情報は、１または複数のＯＦＤＭフレームまたはＯＦＤＭＡフレーム内において、１または複数のマルチキャストＣＩＤまたはブロードキャストＣＩＤに関連付けられたデータ・バーストの位置を識別する、ことと、１または複数のＯＦＤＭフレームまたはＯＦＤＭＡフレームを解析する場合、このスケジューリング情報に基づいて、１または複数のＯＦＤＭフレームまたはＯＦＤＭＡフレームのうちの少なくとも一部をバイパスすることとを含む。
【０００６】
本開示のある実施形態は、ＯＦＤＭフレームまたはＯＦＤＭＡフレームで送信されたマルチキャスト・データまたはブロードキャスト・データを処理する受信機を提供する。この受信機は一般に、ＤＬ−ＭＡＰを復号するように構成された復号ロジックと、ＤＬ−ＭＡＰに含まれるＣＩＤスケジューリング情報を抽出するように構成された抽出ロジックであって、ここで、このスケジューリング情報は、１または複数のＯＦＤＭフレームまたはＯＦＤＭＡフレーム内において、１または複数のマルチキャストＣＩＤまたはブロードキャストＣＩＤに関連付けられたデータ・バーストの位置を識別する、抽出ロジックと、１または複数のＯＦＤＭフレームまたはＯＦＤＭＡフレームを解析する場合、このスケジューリング情報に基づいて、１または複数のＯＦＤＭフレームまたはＯＦＤＭＡフレームのうちの少なくとも一部をバイパスするように構成されたバイパス・ロジックとを含む。
【０００７】
本開示のある実施形態は、ＯＦＤＭフレームまたはＯＦＤＭＡフレームで送信されたマルチキャスト・データまたはブロードキャスト・データを処理する装置を提供する。この装置は、一般に、ＤＬ−ＭＡＰを復号する手段と、ＤＬ−ＭＡＰに含まれるＣＩＤスケジューリング情報を抽出する手段であって、ここで、このスケジューリング情報は、１または複数のＯＦＤＭフレームまたはＯＦＤＭＡフレーム内において、１または複数のマルチキャストＣＩＤまたはブロードキャストＣＩＤに関連付けられたデータ・バーストの位置を識別する、手段と、１または複数のＯＦＤＭフレームまたはＯＦＤＭＡフレームを解析する場合、このスケジューリング情報に基づいて、１または複数のＯＦＤＭフレームまたはＯＦＤＭＡフレームのうちの少なくとも一部をバイパスする手段とを含む。
【０００８】
本開示のある実施形態は、マルチキャスト・データまたはブロードキャスト・データを処理することができるモバイル・デバイスを提供する。このモバイル・デバイスは、一般に、ＯＦＤＭフレームまたはＯＦＤＭＡフレームで送信されたマルチキャスト・データまたはブロードキャスト・データに基づいて信号を受信する受信機フロント・エンドと、ＤＬ−ＭＡＰを復号するように構成された復号ロジックと、ＤＬ−ＭＡＰに含まれるＣＩＤスケジューリング情報を抽出するように構成された抽出ロジックであって、ここで、このスケジューリング情報は、１または複数のＯＦＤＭフレームまたはＯＦＤＭＡフレーム内において、１または複数のマルチキャストＣＩＤまたはブロードキャストＣＩＤに関連付けられたデータ・バーストの位置を識別する、抽出ロジックと、１または複数のＯＦＤＭフレームまたはＯＦＤＭＡフレームを解析する場合、このスケジューリング情報に基づいて、１または複数のＯＦＤＭフレームまたはＯＦＤＭＡフレームのうちの少なくとも一部をバイパスするように構成されたバイパス・ロジックとを含む。
【０００９】
本開示のある実施形態は、ＯＦＤＭフレームまたはＯＦＤＭＡフレームで送信されたマルチキャスト・データまたはブロードキャスト・データを処理するための、格納された命令群のセットを有するコンピュータ読取可能媒体を備えるコンピュータ・プログラム製品を提供する。これら命令群のセットは、１または複数の処理デバイスによって実行可能であって、ＤＬ−ＭＡＰを復号するための命令群と、ＤＬ−ＭＡＰに含まれるＣＩＤスケジューリング情報を抽出するための命令群であって、ここで、このスケジューリング情報は、１または複数のＯＦＤＭフレームまたはＯＦＤＭＡフレーム内において、１または複数のマルチキャストＣＩＤまたはブロードキャストＣＩＤに関連付けられたデータ・バーストの位置を識別する、命令群と、１または複数のＯＦＤＭフレームまたはＯＦＤＭＡフレームを解析する場合、このスケジューリング情報に基づいて、１または複数のＯＦＤＭフレームまたはＯＦＤＭＡフレームのうちの少なくとも一部をバイパスするための命令群とを含む。
【００１０】
本開示のある実施形態は、ＯＦＤＭフレームまたはＯＦＤＭＡフレームでマルチキャスト・データまたはブロードキャスト・データを送信する方法を提供する。この方法は一般に、１または複数のマルチキャストＣＩＤまたはブロードキャストＣＩＤに関連付けられ、１または複数のＯＦＤＭフレームまたはＯＦＤＭＡフレームで送信されるべきデータ・バーストの位置を識別するスケジューリング情報を取得することと、１または複数のフレームのＤＬ−ＭＡＰの一部で、スケジューリング情報を送信することとを含む。
【００１１】
本開示のある実施形態は、ＯＦＤＭフレームまたはＯＦＤＭＡフレームでマルチキャスト・データまたはブロードキャスト・データを送信する送信機を提供する。この送信機は一般に、１または複数のマルチキャストＣＩＤまたはブロードキャストＣＩＤに関連付けられ、１または複数のＯＦＤＭフレームまたはＯＦＤＭＡフレームで送信されるべきデータ・バーストの位置を識別するスケジューリング情報を取得するように構成されたスケジューリング・ロジックと、１または複数のフレームのＤＬ−ＭＡＰの一部で、スケジューリング情報を送信するように構成された送信ロジックとを含む。
【００１２】
本開示のある実施形態は、ＯＦＤＭフレームまたはＯＦＤＭＡフレームでマルチキャスト・データまたはブロードキャスト・データを送信する装置を提供する。この装置は一般に、１または複数のマルチキャストＣＩＤまたはブロードキャストＣＩＤに関連付けられ、１または複数のＯＦＤＭフレームまたはＯＦＤＭＡフレームで送信されるべきデータ・バーストの位置を識別するスケジューリング情報を取得する手段と、１または複数のフレームのＤＬ−ＭＡＰの一部で、スケジューリング情報を送信する手段とを含む。
【００１３】
本開示のある実施形態は、マルチキャスト・データまたはブロードキャスト・データを送信することができるモバイル・デバイスを提供する。このモバイル・デバイスは一般に、１または複数のマルチキャストＣＩＤまたはブロードキャストＣＩＤに関連付けられ、１または複数のＯＦＤＭフレームまたはＯＦＤＭＡフレームで送信されるべきデータ・バーストの位置を識別するスケジューリング情報を取得するように構成されたロジックと、１または複数のフレームのＤＬ−ＭＡＰの一部で、スケジューリング情報を送信する送信機フロント・エンドとを含む。
【００１４】
本開示のある実施形態は、ＯＦＤＭフレームまたはＯＦＤＭＡフレームでマルチキャスト・データまたはブロードキャスト・データを送信するための、格納された命令群のセットを有するコンピュータ読取可能媒体を備えるコンピュータ・プログラム製品を提供する。これら命令群のセットは、１または複数の処理デバイスによって実行可能であって、１または複数のマルチキャストＣＩＤまたはブロードキャストＣＩＤに関連付けられ、１または複数のＯＦＤＭフレームまたはＯＦＤＭＡフレームで送信されるべきデータ・バーストの位置を識別するスケジューリング情報を取得するための命令群と、１または複数のフレームのＤＬ−ＭＡＰの一部で、スケジューリング情報を送信するための命令群とを含む。
【００１５】
上記のように要約されたある実施形態はまた、電気電子学会（ＩＥＥＥ）８０２．１６規格ファミリのうちの１または複数の規格にしたがうフォーマットを含むＯＦＤＭフレームまたはＯＦＤＭＡフレームを備える。
【図面の簡単な説明】
【００１６】
本開示の上記した特徴を詳細に理解できる形式のために、上記要約された、より具体的な説明を、その一部が添付図面に示された実施形態を参照することによって行うことができる。しかし、添付図面は、本開示のある種の典型的な実施形態しか示していないので、説明は、他の同等に効果的な実施形態を可能にすることもできるので、本開示の範囲を限定するものとは考えられないことに留意されたい。
【図１】図１は、本開示のある種の実施形態による、無線通信システムを例示する。
【図２】図２は、本開示のある種の実施形態による、無線デバイス内で利用できるさまざまな構成要素を示す。
【図３】図３は、本開示のある種の実施形態による、直交周波数分割多重および直交周波数分割多元接続（ＯＦＤＭ／ＯＦＤＭＡ）技術を利用する無線通信システム内で使用できる送信機および受信機を例示する。
【図４Ａ】図４Ａは、本開示のある実施形態にしたがう時分割デュプレクス（ＴＤＤ）のＯＦＤＭ／ＯＦＤＭＡフレームの例を例示する。
【図４Ｂ】図４Ｂは、そこに含まれ、ダウンリンク・フレーム・プレフィクス（ＤＬＦＰ）情報を含むフレーム制御ヘッダ（ＦＣＨ）のフォーマットを例示する。
【図５】図５は、マルチキャスト／ブロードキャスト接続識別子（ＣＩＤ）ＭＡＰ  ＩＥを備えた、本開示のある実施形態にしたがうダウンリンク・マップ（ＤＬ−ＭＡＰ）メッセージの例を示す。
【図６】図６は、本開示のある実施形態にしたがう、媒体アクセス制御（ＭＡＣ）プロトコル・データ・ユニット（ＰＤＵ）のフォーマットと、ＭＡＣ  ＰＤＵのための一般的なＭＡＣヘッダ（ＧＭＨ）内のＣＩＤとを例示する。
【図７】図７は、本開示のある実施形態にしたがう、フラグメンテーションおよびパッキングを含むＭＡＣ  ＰＤＵ構築の例を示す。
【図８】図８は、本開示のある実施形態にしたがう、マルチキャスト／ブロードキャストＣＩＤスケジューリング情報を含むＯＦＤＭ／ＯＦＤＭＡフレームを用いてマルチキャスト／ブロードキャスト・データを送信するための動作例のフロー図である。
【図８Ａ】図８Ａは、本開示のある実施形態にしたがう図８の動作例に対応する手段のブロック図である。
【図９】図９は、本開示のある実施形態にしたがって、ＯＦＤＭ／ＯＦＤＭＡフレームで送信されたマルチキャスト／ブロードキャスト・データをＣＩＤスケジューリング情報を用いて処理する動作例のフロー図である。
【図９Ａ】図９Ａは、本開示のある実施形態にしたがう図９の動作例に対応する手段のブロック図である。
【図１０】図１０は、本開示のある実施形態にしたがって、ＯＦＤＭ／ＯＦＤＭＡフレームの間、ユーザ端末の回路の電源を落とし、そのユーザ端末のＭＡＣ  ＰＤＵを含まない期間をバイパスすることを例示する。
【発明を実施するための形態】
【００１７】
本開示のある実施形態は、直交周波数分割多重化（ＯＦＤＭ）フレームまたは直交周波数分割多元接続（ＯＦＤＭＡ）フレームに、マルチキャスト／ブロードキャスト接続識別子（ＣＩＤ）スケジューリングに関する情報を提供するための技術および装置を提供する。ＣＩＤスケジューリング情報は、例えば、ＤＬ−ＭＡＰに含まれる媒体アクセス制御（ＭＡＣ）管理メッセージとして含まれうる。ユーザ端末は、興味のある（例えば、所与のＣＩＤに関連付けられた媒体ブロードキャストのチャネルのための）ＤＬバーストを探索するために、このＣＩＤスケジューリング・メッセージを処理することができる。
【００１８】
その結果、（例えば、移動局のような）ユーザ端末は、興味のあるＤＬバーストを探索し、興味のないＤＬバーストをフィルタ・アウトするために、データのフレーム全体を処理するのではなく、このフレームの媒体アクセス制御（ＭＡＣ）プロトコル・データ・ユニット（ＰＤＵ）解析のうちの少なくとも一部をバイパスすることができる。ＯＦＤＭ／ＯＦＤＭＡフレームのＭＡＣ  ＰＤＵ解析のうちの少なくとも一部をバイパスすることによって、特定のユーザ端末は、ＣＩＤフィルタ処理において、多くのオーバヘッドを費やす必要がなくなり、その特定のユーザ端末のＭＡＣによって、どのＭＡＣ  ＰＤＵが処理されることが意図されているのかが判定される。さらに、いくつかの実施形態の場合、ユーザ端末は、節電のために、この端末によるＯＦＤＭ／ＯＦＤＭＡフレームのバイパス期間中、関連する回路の電源を落とすことができる。
【００１９】
（典型的な無線通信システム）  
本開示の方法および装置は、ブロードバンド無線通信システムで利用することができる。用語「ブロードバンド無線」は、所与の領域にわたる無線による音声、ビデオ、インターネット、および／またはデータ・ネットワーク・アクセスを提供することができる技術を称する。
【００２０】
Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓを表すＷｉＭＡＸは、長距離にわたる高スループット・ブロードバンド接続を提供する規格ベースのブロードバンド無線技術である。現在、ＷｉＭＡＸの２つの主要なアプリケーションすなわち、固定ＷｉＭＡＸおよびモバイルＷｉＭＡＸがある。固定ＷｉＭＡＸアプリケーションは、ポイント・トゥ・マルチポイントであり、例えば家庭および会社へのブロードバンド接続を可能にする。モバイルＷｉＭＡＸは、ブロードバンド速度でセルラ・ネットワークの完全なモビリティを提供する。
【００２１】
モバイルＷｉＭＡＸは、ＯＦＤＭおよびＯＦＤＭＡ技術に基づく。ＯＦＤＭは、最近さまざまな高データ・レート通信システムで幅広い採用を得たデジタル・マルチキャリア変調技法である。ＯＦＤＭを用いると、伝送ビット・ストリームは、複数のより低いレートのサブストリームに分割される。各サブストリームは、複数の直交サブキャリアのうちの１つを用いて変調され、複数の並列サブチャネルのうちの１つを介して送信される。ＯＦＤＭＡは、ユーザが異なる時間スロットにサブキャリアを割り当てられる多元接続技法である。ＯＦＤＭＡは、大きく変化するアプリケーション、データ・レート、およびサービス品質要件を有する多数のユーザに対処できる柔軟な多元接続技法である。
【００２２】
無線インターネットおよび無線通信の急速な成長は、無線通信サービスの分野での高データ・レートの需要増加をもたらした。ＯＦＤＭ／ＯＦＤＭＡシステムは、現在、最も有望な研究領域の１つとみなされ、無線通信の次世代の主要な技術とみなされている。これは、ＯＦＤＭ／ＯＦＤＭＡ変調スキームが、従来のシングル・キャリア変調スキームを超える変調効率、スペクトル効率、柔軟性、および強いマルチパス免疫性などの多くの利点を提供できるという事実に拠る。
【００２３】
ＩＥＥＥ  ８０２．１６ｘは、固定式およびモバイルのブロードバンド無線アクセス（ＢＷＡ）システム用のエア・インタフェースを定義するための新生の規格体系である。これらの規格は、少なくとも４つの異なる物理レイヤ（ＰＨＹ）および１つの媒体アクセス制御（ＭＡＣ）レイヤを規定する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２４】
図１は、無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、代わりに、アクセス・ポイント、ノードＢ、またはその他いくつかの用語で称されうる。
【００２５】
図１は、システム１００全体に散在するさまざまなユーザ端末１０６を示す。ユーザ端末１０６は、固定式（すなわち、据え置き式）またはモバイルとすることができる。ユーザ端末１０６を、代わりに、遠隔局、アクセス端末、端末、加入者ユニット、移動局、局、ユーザ機器などと称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２６】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２７】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されうる。あるいは、ダウンリンク１０８を、順方向リンクまたは順方向チャネルと称したり、アップリンク１１０を、逆方向リンクまたは逆方向チャネルと称する場合がある。
【００２８】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２９】
図２は、無線デバイス２０２において利用されうるさまざまな構成要素を例示する。無線デバイス２０２は、本明細書で説明されるさまざまな方法を実施するために構成され得るデバイスの例である。無線デバイス２０２は、基地局１０４またはユーザ端末１０６でありうる。
【００３０】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを供給する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００３１】
無線デバイス２０２は、無線デバイス２０２と遠隔位置との間でのデータの伝送および受信を可能にする送信機２１０および受信機２１２を含むことができるハウジング２０８をも含みうる。送信機２１０および受信機２１２を、トランシーバ２１４に組み合わせることができる。アンテナ２１６を、ハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００３２】
無線デバイス２０２は、トランシーバ２１４によって受信された信号を検出し、そのレベルを定量化する目的で使用される信号検出器２１８をも含むことができる。信号検出器２１８は、総エネルギ、パイロット・サブキャリアからのパイロット・エネルギまたはプリアンブル・シンボルからの信号エネルギ、電力スペクトル密度、および他の信号などの信号を検出することができる。無線デバイス２０２は、信号を処理する際に使用されるデジタル信号プロセッサ（ＤＳＰ）２２０をも含むことができる。
【００３３】
無線デバイス２０２のさまざまな構成要素を、データ・バスに加えて電力バス、制御信号バス、およびステータス信号バスを含むことができるバス・システム２２２によってともに結合することができる。
【００３４】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３５】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３６】
Ｎ個の並列データ・ストリーム３１０は次に、マッパ３１２に入力として供給されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３７】
命名法に関する短い注を、これから提供する。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３８】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３９】
図３はまた、ＯＦＤＭ／ＯＦＤＭＡを利用する無線通信システム１００内で使用できる送信機３０４を例示している。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００４０】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００４１】
ガード除去構成要素３２６’の出力は、Ｓ／Ｐコンバータ３２４’に供給されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００４２】
デマッパ３１２’は、マッパ３１２によって実行されたシンボル・マッピング動作の逆を実行し、これによって、Ｎ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として供給されたデータ３０６に対応する。
【００４３】
（ＣＩＤスケジューリング・メッセージを備えた典型的なＯＦＤＭ／ＯＦＤＭＡフレーム）  
図４Ａに示すように、時分割デュプレクス（ＴＤＤ）実施のために、マルチキャスト／ブロードキャストＣＩＤスケジューリング・メッセージを含むＯＦＤＭ／ＯＦＤＭＡフレーム４００が、限定ではなく、典型例として図示されている。例示するように、ＣＩＤのスケジューリング・メッセージは、ある実施形態の場合、ＣＩＤ  ＭＡＰ４１５として、ＤＬ−ＭＡＰ４１４内に含まれうる。以下にさらに詳述されるように、ＣＩＤスケジューリング・メッセージは、フレーム４００内において、特定のマルチキャスト／ブロードキャストＣＩＤに関連付けられたＤＬバーストの位置を提供する。ＤＬ−ＭＡＰ４１４は、すべてのユーザ端末によって復号されるので、ＤＬ−ＭＡＰ４１４内にＣＩＤスケジューリング・メッセージを含めることによって、すべてのユーザ端末が、そこに含まれるスケジューリング情報にアクセスできるようになる。
【００４４】
例えばフル・デュプレクスおよびハーフ・デュプレクスの周波数分割デュプレクス（ＦＤＤ）のようなＯＦＤＭ／ＯＦＤＭＡフレームの他の実施も使用されうる。この場合、フレームは、ダウンリンク（ＤＬ）メッセージとアップリンク（ＵＬ）メッセージとの両方が、異なるキャリアによって同時に送信されるという点を除いて同じである。例示されたＴＤＤによる実施の場合、おのおののフレームは、ＤＬ送信とＵＬ送信との衝突を回避するために、小さなガード・インタバル４０６によって分離される、さらに詳しくは、送信／受信ギャップおよび受信／送信ギャップ（ＴＴＧおよびＲＴＧ）によって分離される、ＤＬサブフレーム４０２とＵＬサブフレーム４０４とに分割される。ＤＬ対ＵＬのサブフレーム比は、異なるトラフィック・プロファイルをサポートするために、３：１から１：１へ変動しうる。
【００４５】
ＯＦＤＭ／ＯＦＤＭＡフレーム４００内には、さまざまな制御情報が含まれうる。例えば、フレーム４００の最初のＯＦＤＭ／ＯＦＤＭＡシンボルは、同期のために使用されるいくつかのパイロット信号（パイロット）を含みうるプリアンブル４０８でありうる。プリアンブル４０８内の固定されたパイロット・シーケンスによって、受信機３０４は、周波数誤りおよび位相誤りを推定し、送信機３０２に同期できるようになる。さらに、無線チャネルの推定および等値化のために、プリアンブル４０８内の固定パイロット・シーケンスが利用されうる。プリアンブル４０８は、ＢＰＳＫ変調されたキャリアを含み、一般には、１つのＯＦＤＭシンボルの長さである。プリアンブル４０８のキャリアは、電力が高められており、ＷｉＭＡＸ信号におけるデータ部の周波数領域における電力レベルよりも一般に数デシベル（ｄＢ）（例えば、９ｄＢ）高い。使用されるプリアンブル・キャリアの番号は、ゾーンの３つのセグメントのうちのいずれが使用されているかを示すことができる。例えば、キャリア０，３，６，・・・は、セグメント１が使用されるべきであり、キャリア２，５，８，・・・は、セグメント２が使用されるべきであることを示すことができる。
【００４６】
フレーム制御ヘッダ（ＦＣＨ）４１０が、プリアンブル４０８に続く。ＦＣＨ４１０は、例えば利用可能なサブチャネル、変調および符号化スキーム、ならびに、現在のＯＦＤＭ／ＯＦＤＭＡフレームのＭＡＰメッセージ長さのようなフレーム設定情報を提供する。例えばダウンリンク・フレーム・プレフィクス（ＤＬＦＰ））４１２のように、フレーム設定情報を概説するデータ構成が、ＦＣＨ４１０にマップされる。
【００４７】
図４Ｂに例示するように、モバイルＷｉＭＡＸのＤＬＦＰ４１２は、ＤＬＦＰ４１２内の合計２４ビットについて、使用されたサブチャネル（ＳＣＨ）ビットマップのための６ビット４１２ａと、０に設定された予約１ビット４１２ｂと、反復符号化インジケーションのための２ビット４１２ｃと、符号化インジケーションのための３ビット４１２ｄと、ＭＡＰメッセージ長さのための８ビット４１２ｅと、０に設定された予約４ビット４１２ｆとを備える。ＦＣＨ４１０にマップされる前に、２４ビットのＤＬＦＰが、複製されて、４８ビット・ブロックを形成する。これは、最小のフォワード誤り訂正（ＦＥＣ）ブロック・サイズである。
【００４８】
ＦＣＨ４１０、ＤＬ−ＭＡＰ４１４、およびＵＬ−ＭＡＰ４１６にしたがうことによって、ＤＬサブフレーム４０２およびＵＬサブフレーム４０４のデータ・バースト割当およびその他の制御情報を指定することができる。ＯＦＤＭＡの場合、複数のユーザに、フレーム内にデータ領域が割り当てられる。そして、これらの割当は、ＤＬ−ＭＡＰメッセージ４１４およびＵＬ−ＭＡＰメッセージ４１６において指定される。これらＭＡＰメッセージは、特定のリンクにおいて使用される変調および符号化スキームを規定する、おのおのユーザのバースト・プロファイルを含む。ＭＡＰメッセージは、すべてのユーザに届く必要のある重要な情報を含んでいるので、ＤＬ−ＭＡＰメッセージ４１４およびＵＬ−ＭＡＰメッセージ４１６は、しばしば、１／２符号化および反復符号化を用いたＢＰＳＫまたはＱＰＳＫのような、非常に信頼性の高いリンクによって送信される。ＯＦＤＭ／ＯＦＤＭＡフレームのＤＬサブフレーム４０２は、通信されているダウンリンク・データを含む、さまざまな長さからなるＤＬバーストを含みうる。
【００４９】
したがって、ＤＬ−ＭＡＰ４１４は、ダウンリンク・ゾーンに含まれるバーストの位置と、ダウンリンク・バーストの数のみならず、時間（すなわち、シンボル）方向および周波数（すなわち、サブキャリアまたはサブチャネル）方向との両方におけるオフセットおよび長さを記述することができる。ある実施形態の場合、（例えば、ＣＩＤ  ＭＡＰ４１５のような）ＣＩＤスケジューリング・メッセージは、特定のＣＩＤに関連付けられたマルチキャスト／ブロードキャスト・データ・バーストのためのフレーム４００内の位置に関する追加情報を提供する。この情報をＣＩＤスケジューリング・メッセージに提供することによって、ユーザ端末は、興味のないＣＩＤに関連付けられた特定のＤＬバーストをバイパスできるようになる。ある実施形態の場合、ユーザ端末は、バイパスされるべき部分によって、時間が十分になった場合、特定の構成要素の電源を落とす。
【００５０】
同様に、ＵＬサブフレーム４０４は、通信されているアップリンク・データから構成されるさまざまなビット長さからなるＵＬバーストを含みうる。したがって、ダウンリンク・サブフレーム４０２における最初のバーストとして送信されるＵＬ−ＭＡＰ４１６は、異なるユーザのためのＵＬバーストの位置に関する情報を含みうる。ＵＬサブフレーム４０４は、図４Ａに例示するような追加の制御情報を含みうる。ＵＬサブフレーム４０４は、ＤＬハイブリッド自動反復要求アクノレッジ（ＨＡＲＱ  ＡＣＫ）をフィードバックするために移動局（ＭＳ）に割り当てられたＵＬ  ＡＣＫ４１８、および／または、チャネル品質インジケータ・チャネル（ＣＱＩＣＨ）にチャネル状態情報をフィードバックするためにＭＳに割り当てられたＵＬ  ＣＱＩＣＨ４２０を含む。さらに、ＵＬサブフレーム４０４は、ＵＬ  Ｒａｎｇｉｎｇサブチャネル４２２を備えうる。ＵＬ  Ｒａｎｇｉｎｇサブチャネル４２２は、帯域幅要求のみならず、閉ループ時間、周波数、および電力調節を行なうためにＭＳに割り当てられる。要するに、プリアンブル４０８、ＦＣＨ４１０、ＤＬ−ＭＡＰ４１４、およびＵＬ−ＭＡＰ４１６は、受信機３０４が受信信号を正しく復調することを可能にする情報を伝送しうる。
【００５１】
ＯＦＤＭＡの場合、ＤＬおよびＵＬにおける送信のために、異なる「モード」が使用されうる。あるモードが使用される時間領域のエリアは、一般にゾーンと称される。１つのタイプのゾーンは、ＤＬ−ＰＵＳＣ（ｄｏｗｎｌｉｎｋ  ｐａｒｔｉａｌ  ｕｓａｇｅ  ｏｆ  ｓｕｂｃｈａｎｎｅｌｓ）と称され、利用可能なすべてのサブチャネルを使用する訳ではない（すなわち、ＤＬ−ＰＵＳＣゾーンは、サブチャネルの特定のグループしか使用しない）。最大３つのセグメントに割り当てられうる合計６つのサブチャネル・グループが存在しうる。したがって、セグメントは、１から６までのサブチャネル・グループを含みうる（例えば、セグメント０が、最初の２つのサブチャネル・グループを含み、セグメント１が、次の２つのサブチャネル・グループを含み、セグメント２が、最後の２つのサブチャネル・グループを含みうる）。別のタイプのゾーンは、ＤＬ−ＦＵＳＣ（ｄｏｗｎｌｉｎｋ  ｆｕｌｌ  ｕｓａｇｅ  ｏｆ  ｓｕｂｃｈａｎｎｅｌｓ）と呼ばれる。ＤＬ−ＰＵＳＣとは異なり、ＤＬ−ＦＵＳＣは、セグメントを使用しないが、十分な周波数範囲にわたってすべてのバーストを分散させうる。
【００５２】
（ＣＩＤスケジューリング・メッセージを用いた典型的なＤＬ−ＭＡＰ）  
マルチキャスト／ブロードキャストＣＩＤスケジューリング・メッセージを含む図４ＡのＤＬ−ＭＡＰ４１４が、図５にさらに詳細に例示される。
【００５３】
ＤＬ−ＭＡＰ４１４は、８ビットの長さを有する管理メッセージ・タイプ５０２で始まる。これは、制御メッセージがＤＬ−ＭＡＰであることを示すために、２（００００００１０ｂ）の値を有する。管理メッセージ・タイプ５０２の後には、８ビットの長さであるフレーム持続時間コード５０４と、２４ビットの長さであるフレーム・ナンバとが続く。フレーム・ナンバ５０６の後には、８ビットの長さを有し、ＤＣＤ設定変更カウント値に一致するダウンリンク・チャネル・ディスクリプタ（ＤＣＤ）カウント５０８が続く。ＤＣＤメッセージは、変調タイプ、フォワード誤り訂正（ＦＥＣ）コード・タイプ等を含む、ダウンリンクに割り当てられたバースト間隔のおのおのに適用されうる物理（ＰＨＹ）レイヤおよび媒体アクセス制御（ＭＡＣ）レイヤに関連するパラメータを称する。ＤＣＤカウント５０８の後には、合計４８ビットの長さのために６バイトの長さを有する基地局識別子（ＢＳＩＤ）５１０が続く。ＢＳＩＤ５１０は、ネットワーク基地局をユニークに識別することができる。ＢＳＩＤ５１０には、８ビットの長さを有しＤＬサブフレーム４０２におけるＯＦＤＭＡシンボルの数を示すＤＬシンボル持続時間５１２が続く。
【００５４】
可変長を有する複数（ｎ個）のＤＬ−ＭＡＰ情報要素（ＩＥ）５１４が、ＤＬシンボル持続時間５１２に続く。一般的なＤＬ−ＭＡＰ  ＩＥ５１４は、ダウンリンク送信を定義するために、ダウンリンク・インタバル使用コード（ＤＩＵＣ）５１６、接続ＩＤリスト５１８、および、ＤＬバースト割当５２０（例えば、サブチャネル・オフセット、シンボル・オフセット、サブチャネル数、およびシンボル数）を備えうる。０乃至１２であるＤＩＵＣ５１６は、ＤＬ−ＭＡＰ  ＩＥがＤＬバースト・プロファイル（すなわち、バーストにおいて使用されている変調および符号化スキーム）を与えることを示し、１４または１５であるＤＩＵＣ５１６は、ＤＬ−ＭＡＰ  ＩＥが制御情報要素であることを示す。１５（１１１１ｂ）である４ビット値を有するＤＩＵＣ５１６は、ＤＬ−ＭＡＰ拡張ＩＥを示し、１４（１１１０ｂ）である４ビット値を有するＤＩＵＣ５１６は、ＤＬ−ＭＡＰ拡張−２  ＩＥを示す。１３であるＤＩＵＣ５１６は、ＤＬ−ＭＡＰ  ＩＥが安全なゾーン（すなわち、ギャップ）およびピーク対平均電力比（ＰＡＰＲ）低減のために使用されることを示す。図５には示されていないが、ＤＬ−ＭＡＰ４１４のいくつかの実施形態は、ＤＬ−ＭＡＰ４１４のバイト境界に達するために、長さ４ビットを有するパディングを含む。
【００５５】
（典型的なＭＡＣ  ＰＤＵ）  
図６に示すように、ＯＦＤＭ／ＯＦＤＭＡフレーム４００内のＤＬバーストは、ＭＡＣ管理メッセージあるいはユーザ・データを含んでいる１または複数の媒体アクセス制御（ＭＡＣ）プロトコル・データ・ユニット（ＰＤＵ）６００を備える。典型的なＭＡＣ  ＰＤＵ６００は、ＰＤＵ制御情報を含むジェネリックＭＡＣヘッダ（ＧＭＨ）６０２、ＰＤＵタイプに特有の情報を含み、ペイロード６０４として知られている可変長のＰＤＵボディ、および、ＩＥＥＥ  ３２ビット（４バイト）巡回冗長検査（ＣＲＣ）６０６コードを含むオプションのフレーム検査シーケンス（ＦＣＳ）である３つの構成要素から成る。実際のＭＡＣ管理メッセージあるいはユーザ・データを含むペイロード６０４は、ＣＲＣが存在しない場合、０バイト長から２０４１バイト長まで変化し、ＣＲＣ６０６が存在する場合、０バイト長から２０３７バイト長まで変化する。ＯＦＤＭＡの場合、ＣＲＣ６０６は一般に強制である。
【００５６】
ＧＭＨ６０２は、０に等しい値を有する１ビットのヘッダ・タイプ（ＨＴ）６０８を備える。１に等しいヘッダ・タイプは、アップリンク送信のためのＭＡＣシグナリング・ヘッダか、あるいは、ダウンリンク送信のための圧縮／低減されたプライベートＤＬ−ＭＡＰかを示す。これらは、本開示の範囲外である。ＨＴ６０８の後には、ペイロード６０４が暗号化されているかを示す１ビットの暗号制御（ＥＣ）６１０と、６ビットのタイプ・フィールド６１２とが続く。これによって、ＧＭＨ６０２の最初の１バイトを構成する。タイプ・フィールド６１２は、メッセージ・ペイロード６０４におけるＰＤＵタイプおよび任意のサブヘッダ・タイプまたは特別のペイロード・タイプを示しうる。
【００５７】
ＧＭＨ６０２の次の１バイトは、１ビットの拡張サブヘッダ・フィールド（ＥＳＦ）６１４と、１ビットのＣＲＣインジケータ（ＣＩ）６１５と、暗号鍵情報のベクトルへインデクスを提供する２ビットの暗号鍵シーケンス（ＥＫＳ）６１６と、予約ビット６１８とを含む。予約ビット６１８の後、長さフィールド６２０が、ＧＭＨ６０２の長さを含むＭＡＣ  ＰＤＵの長さをバイトで示す。長さフィールド６２０は、２つの異なるタイプのＧＭＨ６０２に分割されうる。第１の部分６２０ａは一般に、長さフィールド６２０の最上位ビット（ＭＳＢ）を含む最初の３ビットを含み、第２の部分６２０ｂは一般に、最下位ビット（ＬＳＢ）を含む最後の８ビットを含む。
【００５８】
２バイトの接続識別子（ＣＩＤ）６２２（６２２ａと６２２ｂとして個別のバイトで示される）が、ＧＭＨ６０２における合計６バイトのために、長さフィールド６２０に続く。ＭＡＣレイヤ・アドレスとして、ＣＩＤ６２２は、本明細書では一般に、エアリンクによるＭＡＣピア間の一方向マッピングを称する接続をユニークに識別することができる。接続は、基地局（ＢＳ）１０４とユーザ端末１０６（ＭＳ）との間のユニキャスト接続でありうる。マルチキャスト情報またはブロードキャスト情報が、複数のユーザ端末（例えば、加入者局または移動局）への配信が意図されているマルチキャストおよびブロードキャストによるサービス（ＭＢＳ）の場合、ＢＳ１０４は、このサービスに関連付けられるべき各ユーザ端末とのマルチキャスト・トラフィック接続、あるいは、ブロードキャスト伝送接続を生成することによって、ユーザ端末１０６にアクセスを提供する。ＭＢＳのために使用されるＣＩＤ６２２は、この接続に参加する同一チャネル上のすべてのユーザ端末に対して同じである。
【００５９】
１バイトのヘッダ・チェック・シーケンス（ＨＣＳ）６２４が、ジェネリックＭＡＣヘッダ６０２のＣＩＤ６２２に続く。ＨＣＳ６２４は、ＧＭＨ６０２における誤りを検出するために、ＣＲＣを提供することができる。
【００６０】
図７は、フラグメンテーションおよびパッキングを含むＭＡＣ  ＰＤＵ構成を例示する。ＭＡＣの収束サブレイヤ（ＣＳ）（オープン・システム相互接続（ＯＳＩ）基準モデルにおけるレイヤ２）では、ＭＡＣサービス・データ・ユニット（ＳＤＵ）７０６を生成するために、例えばネットワーク・レイヤのような高次のレイヤ（ＯＳＩ基準モデルにおけるレイヤ３）から、パケットＰＤＵ７０４に対してパケット・ヘッダ・サプレッション識別子（ＰＨＳＩ）７０２が追加される。
【００６１】
所望されるサービス品質（ＱｏＳ）や利用可能な帯域幅のようなさまざまな要因に基づいて、すべてのＭＡＣ  ＳＤＵ７０６が、ある事例の場合、ＭＡＣ共通部分サブレイヤ（ＣＰＳ）のような、ＭＡＣの下部サブレイヤによって、ＭＡＣ  ＰＤＵ７０８のペイロード６０４へ組み込まれる。他の事例では、ＭＡＣ  ＳＤＵ７０６は、２つのＭＡＣ  ＳＤＵフラグメント７１０１および７１０２に分割されうる。ＭＡＣ  ＳＤＵフラグメント７１０は、異なる長さを有しうる。各フラグメント７１０は、異なるＭＡＣ  ＰＤＵ７１２のペイロード６０４中に、フラグメンテーション・サブヘッダ７１４の後に組み込まれる。フラグメンテーションによって、接続のサービス・フローのＱｏＳ要件に関して、利用可能な帯域幅を効率的に使用できるようになる。
【００６２】
１つのＭＡＣ  ＳＤＵ７０６が、複数のＭＡＣ  ＳＤＵフラグメント７１０へ分割されるのとは対照的に、別のＭＡＣ  ＰＤＵ構築技術は、パッキングを備えている。ここでは、複数のＭＡＣ  ＳＤＵが、単一のＭＡＣ  ＰＤＵのペイロード６０４に結合される。例えば、異なる長さを有する第１のＭＡＣ  ＳＤＵ７０６１と第２のＭＡＣ  ＳＤＵ７０６２とが、単一のＭＡＣ  ＰＤＵ７１６へ組み込まれる。ペイロード６０４内の各ＭＡＣ  ＳＤＵ７０６の前には、パッキング・サブヘッダ７１８がある。
【００６３】
ＤＬバーストは、バースト内にともに連結されているさまざまなタイプからなる１または複数のＭＡＣ  ＰＤＵ７０８、７１２、７１６を含みうる。したがって、ＤＬバーストは、それらのうちのいくつかがマルチキャスト・トラフィック接続またはブロードキャスト・トラフィック接続を示す１または複数のＣＩＤ６２２を含みうる。
【００６４】
（マルチキャスト／ブロードキャストＣＩＤスケジューリング・メッセージを用いる典型的な方法）  
興味のあるＷｉＭＡＸマルチキャスト／ブロードキャスト・バーストの位置を示すマルチキャスト／ブロードキャストＣＩＤスケジューリング情報が無いと、ユーザ端末は、マルチキャスト・トラフィック接続またはブロードキャスト伝送接続のためのＣＩＤに基づいて、ユーザ端末に向けられていないＯＦＤＭ／ＯＦＤＭＡフレームのＤＬバースト内でＭＡＣ  ＰＤＵをフィルタ・アウトするだけのために、非効率的なことに、フレームの全体を解析する。そのようなシナリオでは、どのＭＡＣ  ＰＤＵが、そのユーザ端末のために向けられているのかを判定した後、ユーザ端末は、処理を開始し、マルチキャスト／ブロードキャスト・データがＭＡＣレイヤから高次レイヤへ送信されるようにこのデータを復号する。しかしながら、特に、マルチキャスト／ブロードキャスト・データのＤＬサブフレームの一部分が、ＤＬサブフレーム・データのうちの極く一部でしかない場合、ユーザ端末は、ＣＩＤフィルタ処理、ＭＡＣ  ＰＤＵの解析に、多くのオーバヘッドを費やしうる。
【００６５】
マルチキャスト／ブロードキャストＣＩＤスケジューリング情報を（例えば、ＣＩＤスケジューリングＭＡＣ管理メッセージに）提供することによって、本開示のある実施形態は、ＣＩＤフィルタ処理において費やされるオーバヘッドを低減するために、ＭＡＣ  ＰＤＵ解析のうちの少なくともいくつかをバイパスする方法および装置を提供する。ＯＦＤＭ／ＯＦＤＭＡフレーム内のマルチキャスト／ブロードキャスト・データのためのスケジューリングおよびリソース割当は、特定のフレームに基づく信号がブロードキャストされる前に、基地局１０４に知られているので、スケジューリング情報は、フレーム内に組み込まれうる。このように、この信号を受信する所与のユーザ端末は、特定のユーザ端末に関連しないＤＬサブフレーム４０２のうちの少なくとも一部の解析を回避するために、スケジューリング情報を使用する。
【００６６】
マルチキャスト／ブロードキャスト・スケジューリング情報は、任意の適切な方式で、ＯＦＤＭ／ＯＦＤＭＡフレーム内に組み込まれうる。このスケジューリング情報は、ＭＡＣ管理メッセージと見なされるかもしれないし、マルチキャスト接続またはブロードキャスト接続のためのＣＩＤに基づきうる。そのようなマルチキャスト／ブロードキャストＣＩＤスケジューリングＭＡＣ管理メッセージは、ＣＩＤ情報、タイミング情報、および変調情報を備えうる。ＣＩＤ情報によって、ユーザ端末は、マルチキャスト／ブロードキャストＣＩＤスケジューリング・メッセージが、その特定のユーザ端末に適合しているかを判定できるようになる。タイミング情報は、マルチキャスト／ブロードキャスト・データの開始ＯＦＤＭ／ＯＦＤＭＡシンボル、あるいは、ユーザ端末がＤＬサブフレーム内のＭＡＣ  ＰＤＵの解析を開始する場所を示すことができる。変調情報は、マルチキャスト／ブロードキャスト・データを符号化するためにどの変調および符号化スキームが使用されたのかをユーザに対して示すことができる。
【００６７】
ある実施形態の場合、図５に例示するように、マルチキャスト／ブロードキャストＣＩＤスケジューリング・メッセージは、ＤＬ−ＭＡＰ４１４に含まれうる。そのような場合、ＣＩＤスケジューリング・メッセージは、ＣＩＤ  ＭＡＰであり、例えば、ＤＬシンボル持続時間５１２の後の最初のＤＬ−ＭＡＰ  ＩＥ５１４１として位置するマルチキャスト／ブロードキャスト（ＭＢ）ＣＩＤ  ＭＡＰ  ＩＥのようなＤＬ−ＭＡＰ  ＩＥ５１４として設定されうる。第１のＤＬ−ＭＡＰ  ＩＥ５１４１の後には第２のＤＬ−ＭＡＰ  ＩＥ５１４２が続き、同様に、第ｎのＤＬ−ＭＡＰ  ＩＥ５１４ｎまで続く。ＭＢ  ＣＩＤ  ＭＡＰ  ＩＥは、任意のＤＬ−ＭＡＰ  ＩＥ位置に位置しうる。ＭＢ  ＣＩＤ  ＭＡＰ  ＩＥは、制御ＩＥであるので、ＤＬ−ＭＡＰ拡張ＩＥあるいはＤＬ−ＭＡＰ拡張−２  ＩＥでありうる。上述したように、１／２符号化および反復符号化を用いたＢＰＳＫまたはＱＰＳＫのように非常に信頼性の高いリンクによって、おそらくＤＬ−ＭＡＰが送信されるだろうから、すべてではないが、ほとんどのユーザ端末が、ＭＢ  ＣＩＤ  ＭＡＰ  ＩＥを受信することができるだろう。
【００６８】
別のある実施形態の場合、マルチキャスト／ブロードキャストＣＩＤスケジューリングＭＡＣ管理メッセージが、ＯＦＤＭ／ＯＦＤＭＡフレームのＤＬバースト内の１または複数のＭＡＣ  ＰＤＵとして組み込まれうる。ＣＩＤフィルタリング・オーバヘッドを節約するために、マルチキャスト／ブロードキャストＣＩＤスケジューリング・メッセージは、後のＤＬバースト（すなわち、高いシンボル・インデクスを持つＤＬバースト）とは逆に、恐らく、例えば、ＵＬ−ＭＡＰ４１６後の最初のＤＬバーストのように、初期のＤＬバーストのうちの１つ（すなわち、低いシンボル・インデクスを持つＤＬバースト）に存在するであろう。しかしながら、マルチキャスト／ブロードキャスト・スケジューリング・メッセージを備えたＭＡＣ  ＰＤＵを含むＤＬバーストが、高次の変調および符号化スキームを用いて送信された場合、必ずしもすべてのユーザ端末が、このＣＩＤスケジューリング・メッセージを受信できる訳ではない。
【００６９】
図８は、ＤＬ−ＭＡＰにおけるマルチキャスト／ブロードキャストＣＩＤスケジューリング情報を用いて、ＯＦＤＭ／ＯＦＤＭＡフレームでＣＩＤスケジューリング情報を送信するための動作例８００のフロー図である。この動作８００は、例えば、基地局１０４によって実行されうる。
【００７０】
動作８００は、８０２において、スケジューリング・マルチキャスト／ブロードキャストＣＩＤスケジューリング情報を取得することによって始まる。基地局は、別のＣＩＤ  ＤＬバーストをフレーム間に割り当てているので、この情報を有することになるであろう。８０４では、ＣＩＤスケジューリング情報を含むＣＩＤスケジューリングＭＡＣ管理メッセージが生成される。このメッセージは、例えば、対応するデータ・バーストのフレーム内の場所を示すポインタ情報およびＣＩＤのリストのような任意の適切なフォーマット内に、ＣＩＤスケジューリング情報を含める。
【００７１】
８０６では、ＣＩＤスケジューリングＭＡＣ管理メッセージが、フレームのＤＬ−ＭＡＰで送信される。このメッセージを受信したユーザ端末は、興味のないＣＩＤに関連するＤＬバーストを処理することをバイパスすることができる。
【００７２】
図９は、このスケジューリング・メッセージに基づいて、ＯＦＤＭ／ＯＦＤＭＡフレームを処理し、このフレームの一部の解析をバイパスする動作例９００のフロー図である。この動作９００は、ＯＦＤＭ／ＯＦＤＭＡフレームに基づいて信号を受信する９０２で始まる。９０４では、ＯＦＤＭ／ＯＦＤＭＡフレームのＤＬ−ＭＡＰ４１４が復号され、９０６では、ＤＬ−ＭＡＰから、マルチキャスト／ブロードキャストＣＩＤスケジューリング・メッセージがＤＬ−ＭＡＰから抽出される。
【００７３】
９０８では、ＭＡＣ  ＰＤＵを解析する場合、抽出されたマルチキャスト／ブロードキャストＣＩＤスケジューリング・メッセージに基づいて、ＯＦＤＭ／ＯＦＤＭＡフレームのうちの少なくとも一部がバイパスされうる。例えば、マルチキャスト／ブロードキャストＣＩＤスケジューリング・メッセージは、ＤＬサブフレームがマルチキャスト／ブロードキャスト・データを含まないことを示しうる。そして、そのような場合、ＤＬ−ＭＡＰ４１４およびＵＬ−ＭＡＰ４１６を処理した後、ＤＬサブフレームの全体、あるいは、少なくとも残りの部分が、バイパスされうる。別の例として、ＤＬサブフレームは、マルチキャスト／ブロードキャスト・データを含むが、１または複数のＤＬバーストは、どのマルチキャスト／ブロードキャスト・データも含まないことをマルチキャスト／ブロードキャストＣＩＤスケジューリング・メッセージが示しうる。そのような場合、ＣＩＤスケジューリング・メッセージにしたがって、これらＤＬバーストのうちの何れか１つ、組み合わせ、あるいはすべてがバイパスされうる。また別の例では、所与のＤＬバーストは、マルチキャスト／ブロードキャスト・データを含みうるが、特定のＤＬバースト内の１または複数のＭＡＣ  ＰＤＵが、どのマルチキャスト／ブロードキャスト・データをも含まないことをマルチキャスト／ブロードキャストＣＩＤスケジューリング・メッセージが示す。そのような場合、ＣＩＤスケジューリング・メッセージにしたがって、これらＭＡＣ  ＰＤＵのうちの何れか１つ、組み合わせ、あるいはすべてがバイパスされうる。
【００７４】
さらに１ステップ進んで、図７は、いくつかのＭＡＣ  ＰＤＵが、複数のＭＡＣ  ＳＤＵ７０６を含むことを例示している。いくつかの場合、ＭＡＣ  ＳＤＵのうちの１または複数が、マルチキャスト／ブロードキャスト／データである一方、他のＭＡＣ  ＳＵＤは、例えばユニキャスト・データまたは制御メッセージのようなその他の要素を備えうる。したがって、マルチキャスト／ブロードキャストＣＩＤスケジューリング・メッセージは、ＭＡＣ  ＰＤＵの一部が、何れのマルチキャスト／ブロードキャスト・データをも含まないことを示しうる。そのような場合、ＣＩＤスケジューリング・メッセージにしたがって、マルチキャスト／ブロードキャスト・データのないこれらＭＡＣ  ＳＤＵのうちの何れか１つ、組み合わせ、あるいはすべてがバイパスされうる。
【００７５】
ある実施形態の場合、信号を受信したユーザ端末におけるＭＡＣ  ＰＤＵ解析および処理に関連する回路の電力を落とす十分な時間があるかが、９１０において判定される。この判定のために、マルチキャスト／ブロードキャストＣＩＤスケジューリング・メッセージにしたがってＤＬサブフレームの一部をバイパスするための期間（すなわち、バイパス期間）が、例えば、予め定められたしきい値と比較されうる。このバイパス期間が、予め定められたしきい値よりも長い場合、９１２において、バイパス期間中、回路の電源が落とされうる。このようにしてユーザ端末は節電を行う。これは、例えばセルラ電話やラップトップ・コンピュータのように、バッテリによって駆動されるユーザ端末には特に望ましい。バイパス期間が、予め定められた値よりも長くない場合、関連する回路は、バイパス期間中でも電源が投入されたままとされる。
【００７６】
例えば、１または複数のブロードキャスト伝送接続にしたがって、図４ＡにおけるＤＬバースト＃５がブロードキャスト・データを含み、ＤＬバースト＃５内のＭＡＣ  ＰＤＵがＣＩＤ６２２を含んでいると仮定する。ＤＬ−ＭＡＰ４１４は、マルチキャスト／ブロードキャスト・データのみに興味を有するユーザ端末が、ＤＬバースト＃５を除くすべてのＤＬバーストにおけるＤＬサブフレームのＭＡＣ  ＰＤＵの解析をバイパスする可能性のあることを示すマルチキャスト／ブロードキャストＣＩＤスケジューリング・メッセージを備えうる。この場合、バイパス期間は、ＵＬ−ＭＡＰ４１６のＯＦＤＭ／ＯＦＤＭＡシンボル後に開始され、ＤＬバースト＃５のＯＦＤＭ／ＯＦＤＭＡシンボルで終了しうる。この特定のユーザ端末のバイパス期間は、９１０において、（通常はオンである）ＭＡＣ  ＰＤＵ解析および処理に関連するユーザ端末回路が、９１２においてバイパス期間中に電力を落とすことができるように、十分長くなるように決定される。関連する回路は、マルチキャスト/ブロードキャストＣＩＤスケジューリング・メッセージにしたがって、ＤＬバースト＃５内のＭＡＣ  ＰＤＵを解析および処理するために電源が投入される。
【００７７】
図９に戻って、バイパスされないＤＬサブフレームの残り部分が解析され、ＣＩＤ６２２にしたがって信号を受信したユーザ端末に関連するＭＡＣ  ＰＤＵが処理される（例えば、復号される）。ＤＬサブフレーム４０２の一部が、バイパスまたは処理され、ＵＬサブフレーム４０４が送信されると、ユーザ端末（単数または複数）は、新たなＯＦＤＭ／ＯＦＤＭＡフレームに基づいて、新たな信号を受信するのを待ち、動作９００は、９０２における開始を繰り返す。
【００７８】
上述した動作は、多くのｍｅａｎｓ−ｐｌｕｓ−ｆｕｎｃｔｉｏｎブロックに対応するさまざまなハードウェア構成要素および／またはソフトウェア構成要素および／またはモジュールによって実行されうる。例えば、上述した図８および図９の動作８００および動作９００は、図８Ａおよび図９Ａにそれぞれ例示されるｍｅａｎｓ−ｐｌｕｓ−ｆｕｎｃｔｉｏｎブロックに対応するさまざまなハードウェア構成要素および／またはソフトウェア構成要素および／またはモジュールによって実行されうる。
【００７９】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００８０】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００８１】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロプロセッサとの組み合わせ、複数のマイクロプロセッサ、ＤＳＰコアと連携した１または複数のマイクロプロセッサ、またはその他任意のこのような構成である計算デバイスの組み合わせとして実現することも可能である。
【００８２】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８３】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８４】
説明された機能を、ハードウェア、ソフトウェア、ファームウェア、またはその任意の組合せで実施することができる。ソフトウェアで実施される場合、機能を、コンピュータ読取可能媒体または記憶媒体に、命令または命令の１または複数のセットとして格納することができる。記憶媒体は、コンピュータまたは１または複数の処理デバイスによってアクセスできる任意の使用可能な媒体とすることができる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。ディスク（ｄｉｓｋおよびｄｉｓｃ）は、本明細書で使用される場合、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含み、ｄｉｓｋは、通常は磁気的にデータを再生し、ｄｉｓｃは、レーザを用いて光学的にデータを再生する。
【００８５】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８６】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８７】
特許請求の範囲は、上述した正確な構成および構成要素に限定されないことを理解されたい。さまざまな修正、変更、および変形を、特許請求の範囲の範囲から逸脱せずに、上述した方法および装置の構成、動作、および詳細において実施することができる。
【図１】
2011525779.tif 000003
【図２】
2011525779.tif 000004
【図３】
2011525779.tif 000005
【図４Ａ】
2011525779.tif 000006
【図４Ｂ】
2011525779.tif 000007
【図５】
2011525779.tif 000008
【図６】
2011525779.tif 000009
【図７】
2011525779.tif 000010
【図８】
2011525779.tif 000011
【図８Ａ】
2011525779.tif 000012
【図９】
2011525779.tif 000013
【図９Ａ】
2011525779.tif 000014
【図１０】
2011525779.tif 000015
【国際調査報告】
2011525779.tif 000016
2011525779.tif 000017
2011525779.tif 000018